(57)【要約】      （修正有）【課題】簡単な操作で複数の出力形式のコピーを行うことができるようにした画像形成装置を提供する。【解決手段】画像形成装置は、原稿を読み取る原稿読取手段と、この原稿読取手段により読み取られた画像を記録媒体に出力する出力手段と、前記原稿読取手段により読み取った原稿に対して、前記出力手段が出力する出力形式ごとに、複数の出力パラメータを設定可能とする設定手段と、この設定手段により複数の出力パラメータが設定された場合、前記設定された複数の出力パラメータに基づき、前記原稿読取手段により読み取られた画像を複数の出力形式で連続して記録媒体に出力するように前記出力手段を制御する出力制御手段とを有する。【選択図】図１５
2009229950.tif 000002
【特許請求の範囲】
【請求項１】
原稿を読み取る原稿読取手段と、
この原稿読取手段により読み取られた画像を記録媒体に出力する出力手段と、
前記原稿読取手段により読み取った原稿に対して、前記出力手段が出力する出力形式ごとに、複数の出力パラメータを設定可能とする設定手段と、
この設定手段により複数の出力パラメータが設定された場合、前記設定された複数の出力パラメータに基づき、前記原稿読取手段により読み取られた画像を複数の出力形式で連続して記録媒体に出力するように前記出力手段を制御する出力制御手段と
を有する画像形成装置。
【請求項２】
前記設定された複数の出力パラメータを、対応する前記出力形式ごとに、切り替えて表示する表示手段と
をさらに有する
請求項１記載の画像形成装置。
【請求項３】
前記設定された複数の出力パラメータを、前記複数の出力パラメータの種類ごとに、切り替えて表示する表示手段と
をさらに有する
請求項１記載の画像形成装置。
【請求項４】
すべての前記設定された複数の出力パラメータと、これに対応する前記出力形式とを、一括して表示する表示手段
をさらに有する
請求項１記載の画像形成装置。
【請求項５】
前記表示手段は、
前記複数の出力パラメータの前記表示手段における表示形式を、対応する出力形式に応じて変化させることによって、前記複数の出力パラメータおよび前記出力形式の対応付けを表示する
請求項４記載の画像形成装置。
【請求項６】
前記表示形式は、前記出力パラメータの文字の色である
請求項５記載の画像形成装置。
【請求項７】
前記表示形式は、前記出力パラメータの文字のフォントの種類である
請求項５記載の画像形成装置。
【請求項８】
前記表示形式は、前記出力パラメータを設定する設定ボタンの色である
請求項５記載の画像形成装置。
【請求項９】
前記設定手段は、前記原稿読取手段により読み取った原稿に対し、前記出力形式ごとに、複数の出力部数を設定し、
前記出力制御手段は、
前記設定手段により複数の出力部数が設定された場合、前記設定された複数の出力部数に基づき、前記原稿読取手段により読み取られた画像を、前記設定された部数の記録媒体に出力するように前記出力手段を制御する
請求項１記載の画像形成装置。
【請求項１０】
前記設定された複数の出力パラメータまたは複数の出力部数に基づく前記出力制御手段の動作を示す動作情報の登録を受け付ける登録受付手段
をさらに有する
請求項１または９記載の画像形成装置。
【請求項１１】
前記登録手段によって登録された前記出力制御手段の動作を呼び出す呼出手段
をさらに有する
請求項１０記載の画像形成装置。
【発明の詳細な説明】
【技術分野】
【０００１】
本発明は、画像形成装置に関する。
【背景技術】
【０００２】
一般に、画像形成装置は、操作パネルから出力パラメータを設定することができ、スタートボタンが押下されると、この出力パラメータに基づいてコピーするコピー機能を備えている。
さらに、コピー配布先ごとに、出力パラメータの一つであるコピー部数を登録し、このコピー部数に基づいて、操作パネルで指定されたコピー配布先のコピー部数を合計し、コピー部数の合計でコピーすることも知られている（特許文献１）。
【０００３】
【特許文献１】特開平０７−２４４４４６号公報
【発明の開示】
【発明が解決しようとする課題】
【０００４】
本発明の目的は、簡単な操作で複数の出力形式のコピーを行うことができるようにした画像形成装置を提供することにある。
【課題を解決するための手段】
【０００５】
請求項１に係る本発明は、原稿を読み取る原稿読取手段と、この原稿読取手段により読み取られた画像を記録媒体に出力する出力手段と、前記原稿読取手段により読み取った原稿に対して、前記出力手段が出力する出力形式ごとに、複数の出力パラメータを設定可能とする設定手段と、この設定手段により複数の出力パラメータが設定された場合、前記設定された複数の出力パラメータに基づき、前記原稿読取手段により読み取られた画像を複数の出力形式で連続して記録媒体に出力するように前記出力手段を制御する出力制御手段とを有する画像形成装置である。
【０００６】
請求項２に係る本発明は、前記設定された複数の出力パラメータを、対応する前記出力形式ごとに、切り替えて表示する表示手段をさらに有する請求項１記載の画像形成装置である。
【０００７】
請求項３に係る本発明は、前記設定された複数の出力パラメータを、前記複数の出力パラメータの種類ごとに、切り替えて表示する表示手段とをさらに有する請求項１記載の画像形成装置である。
【０００８】
請求項４に係る本発明は、すべての前記設定された複数の出力パラメータと、これに対応する前記出力形式とを、一括して表示する表示手段をさらに有する
請求項１記載の画像形成装置である。
【０００９】
請求項５に係る本発明は、前記表示手段が、前記複数の出力パラメータの前記表示手段における表示形式を、対応する出力形式に応じて変化させることによって、前記複数の出力パラメータおよび前記出力形式の対応付けを表示する請求項４記載の画像形成装置である。
【００１０】
請求項６に係る本発明は、前記表示形式が、前記出力パラメータの文字の色である請求項５記載の画像形成装置である。
【００１１】
請求項７に係る本発明は、前記表示形式が、前記出力パラメータの文字のフォントの種類である請求項５記載の画像形成装置である。
【００１２】
請求項８に係る本発明は、前記表示形式が、前記出力パラメータを設定する設定ボタンの色である請求項５記載の画像形成装置である。
【００１３】
請求項９に係る本発明は、前記設定手段が、前記原稿読取手段により読み取った原稿に対し、前記出力形式ごとに、複数の出力部数を設定し、前記出力制御手段は、前記設定手段により複数の出力部数が設定された場合、前記設定された複数の出力部数に基づき、前記原稿読取手段により読み取られた画像を、前記設定された部数の記録媒体に出力するように前記出力手段を制御する請求項１記載の画像形成装置である。
【００１４】
請求項１０に係る本発明は、前記設定された複数の出力パラメータまたは複数の出力部数に基づく前記出力制御手段の動作を示す動作情報の登録を受け付ける登録受付手段をさらに有する請求項１乃至９いずれか記載の画像形成装置である。
【発明の効果】
【００１５】
本発明に係る画像形成装置によれば、複数の出力形式でコピーする場合、ユーザの操作回数を減らすことが可能となる。
【発明を実施するための最良の形態】
【００１６】
以下、本発明の実施形態を説明する。尚、以下の説明は本発明を実施するのにあたっての一例に過ぎず、本発明が以下に説明される事項に限定されるわけではなく必要に応じて適宜変更可能である。
図１において、画像形成装置１０は、プリントユニット１２とスキャンユニット１４とを有し、プリントユニット１２は、例えば３段の記録媒体供給トレイ１６を有し、これら記録媒体供給トレイ１６のそれぞれには供給ヘッド１８が設けられている。記録媒体供給トレイ１６の一つが選択されると、供給ヘッド１８が作動して選択された記録媒体供給トレイ１６から記録媒体供給路２０を介してプリントエンジン２２に供給される。
【００１７】
プリントエンジン２２は、例えば白黒兼用のカラーゼログラフィからなり、イエロー、マゼンダ、シアン及びブラックの各感光体２４が併設されていると共に、中間転写ベルト２６が設けられている。各感光体２４の周囲には、図示しない帯電装置、露光装置、現像装置、一次転写装置、クリーニング装置等が配置され、各感光体２４に形成されたトナー像が中間転写ベルト２６に転写される。白黒設定された場合は、ブラックのみが作動可能であるようにされる。中間転写ベルト２６のトナー像は、二次転写ロールにより、送られてきた記録媒体に転写され、定着装置３０により定着され、このトナー像が定着された記録媒体が記録媒体排出路３２を通って排出トレイ３４に排出される。
【００１８】
ただし、両面印刷が設定された場合は、定着装置３０により表面が定着された記録媒体は、記録媒体排出路３２から反転装置３６に送られ、この反転装置３６で反転され、記録媒体反転路３８に送られ、再び記録媒体供給路２０に戻され、プリントエンジン２２に送られて裏面の印刷がなされる。
【００１９】
スキャンユニット１４は、両面原稿の読み取りが可能なＤＡＤＦ等の自動原稿送り装置４０を有し、この自動原稿送り装置４０により原稿はプラテン４２に送られ、このプラテン４２上でＣＣＤ等からなる読取部４４により原稿の画像が読み取られる。自動原稿送り装置４０に原稿がセットされたか否かを検出する原稿セット検出器４６が設けられている。また、自動原稿送り装置４０はプラテンカバーを兼ねており、このプラテンカバーを開けることにより原稿をプラテン４２上に置くことができる。このプラテンカバーの開閉は、プラテンカバー開閉検出器４８により検出できるようになっている。また、この画像形成装置１０は、公衆回線へ接続されたファクシミリ用のモデムと、ＬＡＮ等のネットワークに接続されるネットワーク通信装置が設けられている。
【００２０】
ユーザインターフェース装置５０（以下、ＵＩ装置５０という。）は、画像形成装置１０と一体に、又はネットワークを介して設けられ、画像形成装置１０の処理内容を選択し、かつ表示するようになっている。
【００２１】
図２において、画像形成装置の制御回路例が示され、上記ＵＩ装置５０と共に、ＣＰＵ５２、システムメモリ５４、画像蓄積メモリ５６、入出力インターフェース５８、スキャンインターフェース６０、プリントインターフェース６２、ネットワーク通信インターフェース６４及びファクシミリ用のモデムインターフェース６６がバス接続されている。ＣＰＵ５２は、システムメモリ５４に書き込まれたプログラムに従って各回路を制御するようになっている。ＵＩ装置５０からの操作入力データはＣＰＵ５２に伝達され、ＣＰＵ５２からの表示画像データがＵＩ装置５０に伝達するようにしてある。画像蓄積メモリ５６は、画像処理装置１０に取り込まれた画像を一時的に記憶するためのものである。入出力インターフェース５８には、上記原稿セット検出器４６からの原稿セット検出信号と、プラテンカバーの開閉を検出するプラテンカバー開閉検出器４８からのプラテンカバー開閉信号が入力される。
【００２２】
図３において、画像形成装置におけるジョブ管理プログラムの内容が示されている。
入力解析部６８は、ユーザが上記ＵＩ装置５０に対して行った座標位置を解析し、解析結果をジョブ管理部７０に伝達する。ジョブ管理部７０は、入力解析部６８で解析されたＵＩ装置５０からの操作入力データが入力される。
【００２３】
このジョブ管理部７０は、ジョブ管理テーブル７２を有し、この管理テーブル７２に基づいてジョブリストを作成する。ジョブ管理テーブル７２は、実行中のジョブを順番に記憶する実行中キュー７４、実行待ちのジョブを順番に記憶する実行待ちキュー７６、及び保留中のジョブを順番に記憶する実行保留キュー７８を有しており、ジョブ管理部７０は、これらキューを制御するようになっている。実行中キュー７４にあるジョブはジョブ実行部８０に伝達されて実行され、実行待ちキュー７６にあるジョブは実行中キュー７４に移され、実行保留キュー７８にあるジョブは実行が保留される。実行保留は、ユーザが図示しないＵＩ装置５０のキャンセルボタンを押すことによって行われ、再開ボタンを押すことによって実行待ちキュー７６に復帰できるようにしてある。
【００２４】
ジョブ実行部８０は、ジョブ管理部７０で作成されたジョブリストに基づいてスキャン制御部８２、プリント制御部８４、ネットワーク通信制御部８６及びモデム制御部８８を制御する。スキャン制御部８２は、プリント制御部８４、ネットワーク通信制御部８６及びモデム制御部８８は、それぞれ前述したスキャンインターフェース６０、プリントインターフェース６２、ネットワーク通信インターフェース６４及びモデムインターフェース６６を制御し、画像を読み取り、蓄積し、送受信し、プリントするようになっている。また、イベント検出部９０は、スキャン制御部８２、プリント制御部８４、ネットワーク通信制御部８６及びモデム制御部８８から上げられる読み取り機能、蓄積機能、受信機能、送信機能及びプリント機能の実行の開始、終了等のイベントを検知し、ジョブ管理部７０に検出されたデータを伝達する。
【００２５】
ＵＩ画像生成部９２は、入力解析部６８とジョブ管理部７０とからの制御データを受け取り、それぞれに対応した制御信号を上記ＵＩ装置５０に送信し、ＵＩ装置５０において表示するようになっている。
【００２６】
図４乃至１４において、前述したＵＩ装置５０の操作パネル９４が示されている。
この操作パネル９４は、押しボタン群を有する押しボタン部９６と、液晶表示装置およびタッチパネルを組み合わせたタッチパネル表示部９８とを有する。
【００２７】
図４はコピー設定画面を示す。図４において、押しボタン部９６は、コピー枚数等を設定するテンキー１００、ジョブメモリを登録するジョブメモリ登録ボタン１０２、登録されているジョブメモリを一覧表示するジョブメモリ一覧ボタン１０４、設定をクリアするクリアボタン１０６、および、コピーのスタートを指示するスタートボタン１０８を有する。タッチパネル表示部９８は、コピーする倍率を選択設定する倍率選択ボタン１１０、コピーする用紙を選択設定する用紙選択ボタン１１２、コピーのカラーモードを選択設定するカラーモードボタン１１４、用紙の両面および片面のいずれにコピーするかを選択設定する両面／片面選択ボタン１１６、用紙の排出方法を選択設定するソートボタン１１８、および、複数の出力形式でコピーする複数出力を設定する複数出力ボタン１２０を有する。なお、複数出力ボタン１２０の近くに、複数出力が設定されているか否かを表示することができる。
ここでは、倍率に関するパラメータ、用紙に関するパラメータ、カラーモードに関するパラメータ、両面／片面印刷のいずれかを示すパラメータ、ソートに関するパラメータが設定されるが、例えば、パンチに関するパラメータおよびステープルに関するパラメータなど、上記以外のパラメータを設定することができる。
ジョブメモリ登録ボタン１０２を押下することにより、この後に行う操作をジョブメモリに登録することができる。さらに、登録されたジョブメモリのうち、ジョブメモリ一覧ボタン１０４を押下することにより表示され、選択されたジョブメモリを実行することができる。
【００２８】
なお、図４に示されるように、初期状態のコピー設定画面では、複数出力しないよう設定されている（以下、他の設定についても同様）。複数出力ボタン１２０を押下することにより、コピー設定画面は、複数出力数設定画面に切り替えられる。
【００２９】
図５は複数出力数設定画面を示す。上記のコピー設定画面で複数出力ボタン１２０を押下することにより、この複数出力数設定画面に切り替えられる。押しボタン部９６は、上記のコピー設定画面と同じく、テンキー１００、ジョブメモリ登録ボタン１０２、ジョブメモリ一覧ボタン１０４、クリアボタン１０６、および、スタートボタン１０８を有する。タッチパネル表示部９８は、複数出力選択ボタン１２２、複数出力数設定ボタン１２４、取り消しボタン１２６、および、閉じるボタン１２８を有する。
【００３０】
複数出力選択ボタン１２２は、複数出力するか否かを選択設定する。複数出力数設定ボタン１２４は、テンキー１００からの入力を受け付け、複数出力する種類の数として設定および表示する。取り消しボタン１２６は、複数出力選択ボタン１２２における選択設定に対してキャンセル指示を設定する。閉じるボタン１２８は、この複数出力数設定画面を閉じて、コピー設定画面を表示する。
複数出力選択ボタン１２２で「複数出力する」を選択して、複数出力数設定ボタン１２４で出力形式数を設定することにより、複数出力数設定画面は、複数出力設定画面に切り替えられる。ここでは、２つの出力形式でコピーするよう設定されている。
【００３１】
図６Ａは第１の複数出力設定画面を示す。上記の複数出力数設定画面で、所定の数の出力形式で出力するよう設定することにより、この複数出力設定画面に切り替えられる。押しボタン部９６は、前述したコピー設定画面および複数出力数設定画面と同じく、テンキー１００、ジョブメモリ登録ボタン１０２、ジョブメモリ一覧ボタン１０４、クリアボタン１０６、および、スタートボタン１０８を有する。タッチパネル表示部９８は、前述したコピー設定画面と同じく、倍率選択ボタン１１０、用紙選択ボタン１１２、カラーモードボタン１１４、両面／片面選択ボタン１１６、ソートボタン１１８、および、複数出力ボタン１２０を有するが、さらに、確認表示ボタン１３０、および、タッチパネル表示部９８を切り替える切り換えボタン１３２を有する。
確認表示ボタン１３０は、この複数出力設定画面で設定された出力パラメータを確認表示する確認表示を設定する。なお、確認表示ボタン１３０の近くに、確認表示が設定されているか否かを表示することができる。切り換えボタン１３２は、上記の複数出力数設定画面で設定された複数の出力形式ごとに切り替える。
【００３２】
上記の複数出力数設定画面でｎつの出力形式が設定された場合、切り換えボタン１３２を押下することにより、最大ｎつの複数出力設定画面を互いに切り替えられる。ここでは、上記の複数出力数設定画面で２つの出力形式が設定されたので、切り換えボタン１３２を押下することにより、第１の複数出力設定画面および第２の複数出力設定画面を互いに切り替えられる。
なお、図６Ａに示されるように、初期状態の複数出力設定画面では、確認表示しないよう設定されている。
確認表示ボタン１３０を押下することにより、複数出力設定画面は、確認表示選択画面に切り替えられる。
【００３３】
図６Ｂは第２の複数出力設定画面を示す。上記の第１の複数出力設定画面で、切り換えボタン１３２を押下することにより、この第２の複数出力設定画面に切り替えられる。第１の複数出力設定画面と同じく、押しボタン部９６は、テンキー１００、ジョブメモリ登録ボタン１０２、ジョブメモリ一覧ボタン１０４、クリアボタン１０６、および、スタートボタン１０８を有し、タッチパネル表示部９８は、倍率選択ボタン１１０、用紙選択ボタン１１２、カラーモードボタン１１４、両面／片面選択ボタン１１６、ソートボタン１１８、複数出力ボタン１２０、確認表示ボタン１３０、および、切り換えボタン１３２を有する。
切り換えボタン１３２を押下することにより、この第２の複数出力設定画面は、上記の第１の複数出力設定画面に切り替えられる。
【００３４】
図７は、前述した第１の複数出力設定画面および第２の複数出力設定画面の変形例を示す。この変形例では、前述した第１の複数出力設定画面および第２の複数出力設定画面と同じく、押しボタン部９６は、テンキー１００、ジョブメモリ登録ボタン１０２、ジョブメモリ一覧ボタン１０４、クリアボタン１０６、および、スタートボタン１０８を有し、タッチパネル表示部９８は、倍率選択ボタン１１０、用紙選択ボタン１１２、カラーモードボタン１１４、両面／片面選択ボタン１１６、ソートボタン１１８、複数出力ボタン１２０、確認表示ボタン１３０、および、切り換えボタン１３２を有するが、切り換えボタン１３２は、出力パラメータごとに表示され、倍率選択ボタン１１０、用紙選択ボタン１１２、カラーモードボタン１１４、両面／片面選択ボタン１１６、ソートボタン１１８を、上記の複数出力数設定画面で設定された複数の出力形式ごとに切り替える。
【００３５】
図８は、確認表示選択画面を示す。前述した第１の複数出力設定画面および第２の複数出力設定画面で確認表示ボタン１３０を押下することにより、この確認表示選択画面に切り替えられる。押しボタン部９６は、前述したコピー設定画面等と同じく、テンキー１００、ジョブメモリ登録ボタン１０２、ジョブメモリ一覧ボタン１０４、クリアボタン１０６、および、スタートボタン１０８を有する。タッチパネル表示部９８は、確認表示選択ボタン１３４、取り消しボタン１２６、および、閉じるボタン１２８を有する。
【００３６】
確認表示選択ボタン１３４は、前述した第１の複数出力設定画面および第２の複数出力設定画面で設定した複数の出力形式を確認表示するか否かを選択設定する。取り消しボタン１２６は、確認表示選択ボタン１３４における選択設定に対してキャンセル指示を設定する。閉じるボタン１２８は、この確認表示選択画面を閉じて、前述した第１の複数出力設定画面および第２の複数出力設定画面を表示する。
確認表示選択ボタン１３４で「確認表示する」を選択することにより、この確認表示選択画面は、確認表示画面に切り替えられる。
【００３７】
図９は、確認表示画面を示す。上記の確認表示選択画面で確認表示するよう設定することにより、この確認表示画面に切り替えられる。前述した第１の複数出力設定画面および第２の複数出力設定画面と同じく、押しボタン部９６は、テンキー１００、ジョブメモリ登録ボタン１０２、ジョブメモリ一覧ボタン１０４、クリアボタン１０６、および、スタートボタン１０８を有する。タッチパネル表示部９８は、倍率選択表示部１３６、用紙選択表示部１３８、カラーモード表示部１４０、両面／片面選択表示部１４２、ソート表示部１４４、複数出力ボタン１２０、確認表示ボタン１３０、部数設定ボタン１４６、および、複数部数設定ボタン１４８を有する。
部数設定ボタン１４６は、テンキー１００からの入力を受け付け、複数の出力形式それぞれのコピー部数として設定する。複数部数設定ボタン１４８は、前述した第１の複数出力設定画面および第２の複数出力設定画面で設定した複数の出力形式ごとにコピー部数を設定する複数部数設定を行う。なお、複数部数設定ボタン１４８の近くに、複数部数が設定されているか否かを表示することができる。
【００３８】
図９に示されるように、確認表示画面では、前述した複数出力数設定画面で設定された複数の出力形式を一括して表示する。確認表示画面では、複数の出力形式を区別するため、出力形式の違いに応じて、倍率選択表示部１３６、用紙選択表示部１３８、カラーモード表示部１４０、両面／片面選択表示部１４２、ソート表示部１４４で表示されるボタンの色を変化させて表示させる。ここでは、黒いボタンは、前述した第１の複数出力設定画面で設定されたオプションであることを示し、グレーのボタンは、前述した第２の複数出力設定画面で設定されたオプションであることを示す。
複数部数設定ボタン１４８を押下することにより、この確認表示画面は、複数部数設定選択画面に切り替えられる。
【００３９】
図１０は、上記の確認表示画面の第１の変形例を示す。この変形例では、上記の確認表示画面と同じく、押しボタン部９６は、テンキー１００、ジョブメモリ登録ボタン１０２、ジョブメモリ一覧ボタン１０４、クリアボタン１０６、および、スタートボタン１０８を有し、タッチパネル表示部９８は、倍率選択表示部１３６、用紙選択表示部１３８、カラーモード表示部１４０、両面／片面選択表示部１４２、ソート表示部１４４、複数出力ボタン１２０、確認表示ボタン１３０、部数設定ボタン１４６、および、複数部数設定ボタン１４８を有する。
図１０に示されるように、この変形例では、複数の出力形式を区別するため、出力形式の違いに応じて、倍率選択表示部１３６、用紙選択表示部１３８、カラーモード表示部１４０、両面／片面選択表示部１４２、ソート表示部１４４で表示される文字の種類を変化させて表示させる。ここでは、ボールド体は、前述した第１の複数出力設定画面で設定されたオプションであることを示し、斜体のボールド体は、前述した第２の複数出力設定画面で設定されたオプションであることを示す。
【００４０】
図１１は、前述した確認表示画面の第２の変形例を示す。この変形例では、前述した確認表示画面と同じく、押しボタン部９６は、テンキー１００、ジョブメモリ登録ボタン１０２、ジョブメモリ一覧ボタン１０４、クリアボタン１０６、および、スタートボタン１０８を有する。タッチパネル表示部９８は、前述した確認表示画面と同じく、倍率選択表示部１３６、用紙選択表示部１３８、カラーモード表示部１４０、両面／片面選択表示部１４２、ソート表示部１４４、複数出力ボタン１２０、確認表示ボタン１３０、部数設定ボタン１４６、および、複数部数設定ボタン１４８を有するが、さらに、倍率選択ボタン１５０、用紙選択ボタン１５２、カラーモードボタン１５４、両面／片面選択ボタン１５６、および、ソートボタン１５８を有する。
図１１に示されるように、この変形例では、複数の出力形式を区別するため、倍率選択表示部１３６、用紙選択表示部１３８、カラーモード表示部１４０、両面／片面選択表示部１４２、ソート表示部１４４それぞれにおいて、出力形式および各出力形式で設定された出力オプションを表示させる。
さらに、この変形例では、倍率選択ボタン１５０、用紙選択ボタン１５２、カラーモードボタン１５４、両面／片面選択ボタン１５６、および、ソートボタン１５８を押下することにより、この確認表示画面は、各出力パラメータのオプションを変更する画面に切り替えられる。たとえば、倍率選択ボタン１５０を押下することにより、確認表示画面が倍率選択画面に切り替えられる。
【００４１】
図１２は、倍率選択画面を示す。上記の確認表示画面で倍率選択ボタン１５０を押下することにより、この倍率選択画面に切り替えられる。押しボタン部９６は、前述したコピー設定画面等と同じく、テンキー１００、ジョブメモリ登録ボタン１０２、ジョブメモリ一覧ボタン１０４、クリアボタン１０６、および、スタートボタン１０８を有する。タッチパネル表示部９８は、倍率選択ボタン１６０、取り消しボタン１２６、および、閉じるボタン１２８を有する。
【００４２】
倍率選択ボタン１６０を押下することにより、コピーする倍率を変更することができる。たとえば、第１設定に関する５つのボタンのうち、表示「１００％」に対応するボタンを押下すると、第１設定のコピー倍率を７０％から１００％に変更することができる。
取り消しボタン１２６は、倍率選択ボタン１６０における選択設定に対してキャンセル指示を設定する。閉じるボタン１２８は、この倍率選択画面を閉じて、上述の確認表示画面を表示する。
【００４３】
図１３は、複数部数設定選択画面を示す。前述した確認表示画面で複数部数設定ボタン１４８を押下することにより、この複数部数設定選択画面に切り替えられる。押しボタン部９６は、前述したコピー設定画面等と同じく、テンキー１００、ジョブメモリ登録ボタン１０２、ジョブメモリ一覧ボタン１０４、クリアボタン１０６、および、スタートボタン１０８を有する。タッチパネル表示部９８は、複数部数設定選択ボタン１６２、取り消しボタン１２６、および、閉じるボタン１２８を有する。
【００４４】
取り消しボタン１２６は、複数部数設定選択ボタン１６２における選択設定に対してキャンセル指示を設定する。閉じるボタン１２８は、この複数部数設定選択画面を閉じて、前述した確認表示画面を表示する。
複数部数設定選択ボタン１６２で「複数部数設定する」を選択することにより、この複数部数設定選択画面は、複数部数設定画面に切り替えられる。
【００４５】
図１４は、複数部数設定画面を示す。前述した複数部数設定選択画面において、複数部数でコピーするよう設定することにより、この複数部数設定画面に切り替えられる。前述した確認表示画面と同じく、押しボタン部９６は、テンキー１００、ジョブメモリ登録ボタン１０２、ジョブメモリ一覧ボタン１０４、クリアボタン１０６、および、スタートボタン１０８を有し、タッチパネル表示部９８は、倍率選択表示部１３６、用紙選択表示部１３８、カラーモード表示部１４０、両面／片面選択表示部１４２、ソート表示部１４４、複数出力ボタン１２０、確認表示ボタン１３０、および、複数部数設定ボタン１４８を有するが、部数設定ボタン１４６の代わりに複数部数設定ボタン１６４が表れる。複数部数設定ボタン１６４は、テンキー１００からの入力を受け付け、複数の出力形式のコピー部数それぞれを設定する。
【００４６】
図１５は、コピーする場合の動作フローを示すフローチャートである。ステップ１０において、図４に示したコピー設定画面を表示する。ステップ１２において、ステップ１０のコピー設定画面で、複数出力ボタンが押下されたか否かを判定する。複数出力ボタンが押下されていないと判定された場合は、ステップ１４に進み、さらに、スタートボタンが押下されたと判定されるとき、複数出力せず、コピーを開始する。一方、複数出力ボタンが押下されたと判定された場合は、ステップ１６に進み、図５に示した出力形式数設定画面を表示する。ステップ１８において、ステップ１６の出力形式数設定画面で、複数出力するようボタンが押下されたか否かを判定する。複数出力するようボタンが押下されたと判定された場合は、ステップ２０に進み、これ以外の場合は、ステップ１０に戻る。
【００４７】
ステップ２０において、図６Ａ，６Ｂ，図７に示した複数出力設定画面を表示する。ステップ２２において、ステップ２０の複数出力設定画面で、確認表示ボタンが押下されたか否かを判定する。確認表示ボタンが押下されていないと判定された場合は、ステップ２４に進み、さらに、スタートボタンが押下されたと判定されるとき、ステップ２０で設定した出力形式を確認表示せず、コピーを開始する。一方、確認表示ボタンが押下されたと判定された場合は、ステップ２６に進み、図８に示した確認表示選択画面を表示する。ステップ２８において、ステップ２６の確認表示選択画面で、確認表示するようボタンが押下されたか否かを判定する。確認表示するようボタンが押下されたと判定された場合は、ステップ３０に進み、これ以外の場合は、ステップ２０に戻る。
【００４８】
ステップ３０において、図９〜１１に示した確認表示画面を表示する。ステップ３２において、ステップ３０の確認表示画面で、複数部数設定ボタンが押下されたか否かを判定する。複数部数設定ボタンが押下されていないと判定された場合は、ステップ３４に進み、さらに、スタートボタンが押下されたと判定されるとき、ステップ２０で設定した出力形式で、ステップ３０で設定した単一部数でコピーを開始する。一方、複数部数設定ボタンが押下されたと判定された場合は、ステップ３６に進み、図１３に示した複数部数設定選択画面を表示する。ステップ３８において、ステップ３６の複数部数設定選択画面で、複数部数を設定するようボタンが押下されたか否かを判定する。複数部数を設定するようボタンが押下されたと判定された場合は、ステップ４０に進み、これ以外の場合は、ステップ３０に戻る。ステップ４０において、図１４に示した複数部数設定画面を表示する。ステップ４２において、ステップ４０の複数部数設定画面で、複数部数が設定され、スタートボタンが押下されたと判定される場合、ステップ２０で設定した出力形式で、ステップ４２で設定した複数部数でコピーを開始する。
【００４９】
このように、複数の出力形式でコピーする場合、出力形式ごとに出力パラメータの設定を繰り返し、設定するたびにスタートボタンを押下してコピーを開始しなければならない場合に比べて、一括して出力パラメータを設定し、スタートボタンを１回押下してコピーを開始するので、ユーザの操作回数を減らし、ユーザの作業効率を向上させることが可能となる。
【００５０】
なお、上記実施形態においては、コピー操作について説明したが、本発明は、ネットワークを介したパーソナルコンピュータからのプリント操作においても同様に適用できるものである。
【図面の簡単な説明】
【００５１】
【図１】本発明の実施形態に係る画像形成装置を示す側面図である。
【図２】本発明の実施形態に係る画像形成装置の制御回路例を示すブロック図である。
【図３】本発明の実施形態に係る画像形成装置に用いたジョブ管理プログラムを示すブロック図である。
【図４】本発明の実施形態に係る画像形成装置に用いたＵＩ装置におけるコピー設定画面を示す平面図である。
【図５】本発明の実施形態に係る画像形成装置に用いたＵＩ装置における複数出力数設定画面を示す平面図である。
【図６Ａ】本発明の実施形態に係る画像形成装置に用いたＵＩ装置における複数出力設定画面を示す平面図である。
【図６Ｂ】本発明の実施形態に係る画像形成装置に用いたＵＩ装置における複数出力設定画面を示す平面図である。
【図７】本発明の実施形態に係る画像形成装置に用いたＵＩ装置における複数出力設定画面の変形例を示す平面図である。
【図８】本発明の実施形態に係る画像形成装置に用いたＵＩ装置における確認表示選択画面を示す平面図である。
【図９】本発明の実施形態に係る画像形成装置に用いたＵＩ装置における確認表示画面を示す平面図である。
【図１０】本発明の実施形態に係る画像形成装置に用いたＵＩ装置における確認表示画面の変形例を示す平面図である。
【図１１】本発明の実施形態に係る画像形成装置に用いたＵＩ装置における確認表示画面の変形例を示す平面図である。
【図１２】本発明の実施形態に係る画像形成装置に用いたＵＩ装置における倍率選択画面の変形例を示す平面図である。
【図１３】本発明の実施形態に係る画像形成装置に用いたＵＩ装置における複数部数設定選択画面を示す平面図である。
【図１４】本発明の実施形態に係る画像形成装置に用いたＵＩ装置における複数部数設定画面を示す平面図である。
【図１５】本発明の実施形態に係る画像形成装置のユーザ操作に対する動作フローを示すフローチャートである。
【符号の説明】
【００５２】
１０    画像形成装置
１２    プリントユニット
１４    スキャンユニット
１６    記録媒体供給トレイ
１８    供給ヘッド
２０    記録媒体供給路
２２    プリントエンジン
２４    感光体
２６    中間転写ベルト
２８    二次転写ロール
３０    定着装置
３２    記録媒体排出路
３４    排出トレイ
３６    反転装置
３８    記録媒体反転路
４０    自動原稿送り装置
４２    プラテン
４４    読取部
４６    原稿セット検出器
４８    プラテンカバー開閉検出器
５０    ＵＩ装置
５２    ＣＰＵ
５４    システムメモリ
５６    画像蓄積メモリ
５８    入出力インターフェース
６０    スキャンインターフェース
６２    プリントインターフェース
６４    ネットワーク通信インターフェース
６６    モデムインターフェース
６８    入力解析部
７０    ジョブ管理部
７２    ジョブ管理テーブル
７４    実行中キュー
７６    実行待ちキュー
７８    実行保留キュー
８０    ジョブ実行部
８２    スキャン制御部
８４    プリント制御部
８６    ネットワーク通信制御部
８８    モデム制御部
９０    イベント検出部
９２    ＵＩ画像生成部
９４    操作パネル
９６    押しボタン部
９８    タッチパネル表示部
１００  テンキー
１０２  ジョブメモリ登録ボタン
１０４  ジョブメモリ一覧ボタン
１０６  クリアボタン
１０８  スタートボタン
１１０  倍率選択ボタン
１１２  用紙選択ボタン
１１４  カラーモードボタン
１１６  両面／片面選択ボタン
１１８  ソートボタン
１２０  複数出力ボタン
１２２  複数出力選択ボタン
１２４  複数出力数設定ボタン
１２６  取り消しボタン
１２８  閉じるボタン
１３０  確認表示ボタン
１３２  切り換えボタン
１３４  確認表示選択ボタン
１３６  倍率選択表示部
１３８  用紙選択表示部
１４０  カラーモード表示部
１４２  両面／片面選択表示部
１４４  ソート表示部
１４６  部数設定ボタン
１４８  複数部数設定ボタン
１５０  倍率選択ボタン
１５２  用紙選択ボタン
１５４  カラーモードボタン
１５６  両面／片面選択ボタン
１５８  ソートボタン
１６０  倍率選択ボタン
１６２  複数部数設定選択ボタン
１６４  複数部数設定ボタン
【図１】
2009229950.tif 000003
【図２】
2009229950.tif 000004
【図３】
2009229950.tif 000005
【図４】
2009229950.tif 000006
【図５】
2009229950.tif 000007
【図６Ａ】
2009229950.tif 000008
【図６Ｂ】
2009229950.tif 000009
【図７】
2009229950.tif 000010
【図８】
2009229950.tif 000011
【図９】
2009229950.tif 000012
【図１０】
2009229950.tif 000013
【図１１】
2009229950.tif 000014
【図１２】
2009229950.tif 000015
【図１３】
2009229950.tif 000016
【図１４】
2009229950.tif 000017
【図１５】
2009229950.tif 000018